(57)【要約】      （修正有）【課題】収納袋から素早く取り出して着用することができる携行用外衣を提供する。【解決手段】携行用外衣は、外衣本体３と、外衣本体の少なくとも一部が収納可能な収納袋４とを備える。外衣本体は、左前身頃３１、右前身頃３２、および後身頃３３と、一対の袖３４と、フード３５とを備える。外衣本体には、把持部５が設けられる。把持部として、袖用把持部５１と、フード用把持部５２とを備える。後身頃の内側には、収納袋に取付けるための連結体が設けられ、連結体を介して収納袋の内側に外衣本体が着脱可能に取り付けられる。外衣本体は、折畳まれて収納袋に収納され、袖用把持部５１が収納袋の開口から突出する。袖用把持部が収納袋から突出していることによって、手探りですぐに袖用把持部を見つけることができる。【選択図】図３
0003215364.tif 000002
【実用新案登録請求の範囲】
【請求項１】
身頃および袖を備える外衣本体および外衣本体を収納可能な収納袋を含む携行用外衣であって、
前記外衣本体は、その一部が前記収納袋に取付けられるとともに、把持部を備えることを特徴とする携行用外衣。
【請求項２】
前記収納袋は、リュックサックやランドセル等の背負いかばんに係合可能な係合部を備えることを特徴とする請求項１記載の携行用外衣。
【請求項３】
前記把持部は、前記袖の袖口に設けられることを特徴とする請求項１記載の携行用外衣。
【請求項４】
前記外衣本体は、フードをさらに備え、
前記把持部は、前記フードの顔周り縁に設けられることを特徴とする請求項１記載の携行用外衣。
【考案の詳細な説明】
【技術分野】
【０００１】
この考案は、携行可能な外衣に関し、より詳細には、収納袋に入れて携行することができるコートやポンチョ等の携行用外衣に関する。
【背景技術】
【０００２】
従来、レインコート等の外衣を収納する収納部が一体となった背負いかばんが知られる（特許文献１参照）。特許文献１に記載の背負いかばんによれば、背負いかばんを背負ったまま収納部から外衣を取り出し、これを着用することができる。したがって、急な降雨にみまわれたときでも収納部から外衣を取り出して着用することができ、傘などの雨具を持ち合わせていなくても、身体が濡れるのを防ぐことができる。また、傘を持つ必要がないから、両手が自由になり子供や年寄りにとっても安全である。
【先行技術文献】
【特許文献】
【０００３】
【特許文献１】実開昭６１−２３８２６号公報
【考案の概要】
【考案が解決しようとする課題】
【０００４】
特許文献１によれば、背負いかばんを背負った状態で収納部から外衣を取り出すから、収納部を直接目視することなく手探りで外衣を引っ張り出さなければならない。したがって、掴んだ外衣の部分によってはうまく引っ張り出せなかったり、引っ張り出せたとしても、どの部分を掴んでいるのかが分からないので外衣を一度広げて確認したりしなければならない。このように外衣を引っ張り出すのに時間がかかったり、広げて確認したりして、外衣の着用に時間がかかると、その間に雨に濡れてしまうという問題があった。
【０００５】
この考案では、収納袋から外衣を取り出して素早く着用することができる携行用外衣を提供することを課題とする。
【課題を解決するための手段】
【０００６】
この考案は、身頃および袖を備える外衣本体および外衣本体を収納可能な収納袋を含む携行用外衣であって、前記外衣本体は、その一部が前記収納袋に取付けられるとともに、把持部を備えることを特徴とする。
【０００７】
前記考案において、前記収納袋は、リュックサックやランドセル等の背負いかばんに係合可能な係合部を備えることを特徴とする形態を含む。
【０００８】
前記考案において、前記把持部は、前記袖の袖口に設けられることを特徴とする形態を含む。
【０００９】
前記考案において、前記外衣本体は、フードをさらに備え、前記把持部は、前記フードの顔周縁に設けられることを特徴とする形態を含む。
【考案の効果】
【００１０】
この考案の携行用外衣によれば、外衣本体には把持部を備えることとしたので、把持部を掴んで収納袋からこれを引っ張りだすことができ、さらに把持部を目印にして外衣本体を広げて着用することができる。したがって、収納袋から外衣本体を取り出して着用するまでを素早くおこなうことができる。
【図面の簡単な説明】
【００１１】
【図１】この考案の携行用外衣の使用例を示す図であって、外衣本体が収納された状態を示す図。
【図２】外衣本体の着用状態を説明する図。
【図３】外衣本体を広げた状態の正面図。
【図４】図３のＩＶ−ＩＶ線断面拡大図。
【図５】外衣本体が収納された状態における収納袋の正面図。
【図６】図５の背面図であって、その一部を破断した図。
【図７】図５のＶＩＩ−ＶＩＩ線断面図。
【考案を実施するための形態】
【００１２】
図１および２を参照すれば、携行用外衣１は、背負いかばんに取付けられる。背負いかばんとして子供用のランドセル２を例に挙げて説明する。
携行用外衣１は、外衣本体３と、外衣本体の少なくとも一部が収納可能な収納袋４とを備える。雨が降っていないときには、外衣本体３を収納袋４に収納した状態で、携行用外衣１をランドセル２に取付ける。雨が降ったときには、外衣本体３を収納袋４から引っ張り出し、これを着用する。この時、着用者の頭を含む特に上半身が外衣本体３に覆われるとともに、ランドセル２も外衣本体３に覆われる。
【００１３】
図３および図４を併せて参照すれば、この実施形態において携行用外衣１は、ポンチョであり、外衣本体３は、左前身頃３１、右前身頃３２、および後身頃３３と、一対の袖３４と、フード３５とを備える。左前身頃３１と袖３４との間、および右前身頃３２と袖３４との間の明確な境界がなく、左前身頃３１、右前身頃３２、後身頃３３、袖３４とによって、主に上半身をすっぽりと覆うものである。左前身頃３１と右前身頃３２とは、着用時において互いにボタン等で連結することができ、着用者の胸の前で止めることができるようにしている。また、この実施形態では、左前身頃３１と後身頃３３、および右前身頃３２と後身頃３３とを連結手段３６によって一部連結することによって袖３４を構成し腕を通すことができるようにしているが、このような連結がない場合でもよい。連結手段３６は、左前身頃３１と後身頃３３、および右前身頃３２と後身頃３３をそれぞれ一部縫い付けることによって形成している。
【００１４】
外衣本体３には、把持部５が設けられる。この実施形態において把持部５として、袖用把持部５１と、フード用把持部５２とを備える。袖用把持部５１は、袖口から突出して設けられたループ部材であり、肩線のほぼ延長線上に位置する。フード用把持部５２は、フード３５の顔周り縁に設けられる。フード用把持部５２は、フード３５の顔周り縁に沿ってゴム紐３７を設け、他の部分よりも硬い感触にしている。このように把持部５は、外衣本体３の他の部分とは感触が異なるようにしたものであり、触っただけでそれが把持部５であることが理解できるようにしている。
【００１５】
後身頃３３の内側には、収納袋４に取付けるための連結体６が設けられ、連結体６を介して収納袋４の内側に外衣本体３が着脱可能に取り付けられる。着脱可能な構成として、例えば、ボタンや面ファスナ等を用いることができる。外衣本体３を収納袋４に対して着脱可能とすることによって、外衣本体３を収納袋４から取り外して乾燥させたり、洗濯したりすることができる。なお、着脱可能の構成は必須ではなく、外衣本体３を収納袋４に着脱不能に固定してもよい。
【００１６】
上記のような携行用外衣１において、外衣本体３は、折畳まれて収納袋４に収納される。この時、袖用把持部５１またはフード用把持部５２の少なくともいずれか一方を収納袋４の開口４ａ近傍に位置させる。この実施形態では袖用把持部５１が収納袋４の開口から突出するようにしている（図１参照）。このように袖用把持部５１が収納袋から突出していることによって、手探りですぐに袖用把持部５１を見つけることができる。また、これら袖用把持部５１を引っ張るだけで外衣本体３全体を収納袋４から引っ張り出すことができる。
【００１７】
図５〜７に示したように、収納袋４は、表面シート４１および裏面シート４２とによって構成されるとともに、表面シート４１は裏面シート４２よりも縦方向における寸法が大きい。この実施形態において表面シート４１はランドセル２のかぶせとほぼ同じ大きさであり、かぶせを表面シート４１で覆うようにランドセル２に取付けることによって、収納袋４をランドセルカバーとして用いることもできる。表面シート４１と裏面シート４２は、互いに対向させ、その三辺を接合するとともに、縦方向上部の一辺を開口４ａとしている。また、開口４ａには係合部材４５を設け、少なくとも開口４ａの一部を閉じることができるようにしている。係合部材４５として、ボタンや面ファスナ等を用いることができる。また、裏面シート４２の縦方向上部には、横方向に延びるスリット４２ａを設け、ランドセル２の肩ひもを通すことができるようにしている。
【００１８】
収納袋４には、その裏面に位置する第１係合部４３と、第１係合部４３から縦方向に離間する第２係合部４４とを備える。より具体的には、第１係合部４３は裏面シート４２に取付けられ、第２係合部４４は表面シート４１に取付けられる。第１係合部４３および第２係合部４４は、横方向に延びる帯状であり、その両端のみが表面シート４１または裏面シート４２にそれぞれ接合される。このような構成において、第１係合部４３および裏面シート４２の間、第２係合部４４および表面シート４１の間に、ランドセル２のかぶせを挿入することができ、収納袋４をランドセル２に係合可能とすることができる。
【００１９】
外衣本体３を収納袋４に収納する際には、収納袋４の開口４ａの右端から右袖の袖用把持部５１を突出させ、左端から左袖の袖用把持部５１を突出させておけば、これらを左右の手でそれぞれ引っ張るだけで、素早く着用することができる。すなわち、着用者はどの部分を掴んでいるのかが分かるため、外衣本体３を広げて確認したりしなくてもすぐに着用状態に移行することができる。特にこの実施形態においては、袖用把持部５１を引っ張ることによって、外衣本体３の袖３４を着用者の肩および腕近傍に配置することができ、完全に着用する前であっても肩や腕が雨等で濡れるのを防ぐことができる。
【００２０】
この実施形態において、袖用把持部５１を収納袋４から突出させるようにして外衣本体３を収納し外衣本体３を引っ張り出すための契機としているが、フード用把持部５２を引っ張り出すための契機とすることもできる。この場合にはフード用把持部５２を収納袋４の開口４ａ近傍に配置して外衣本体３を収納袋４に収納し、収納袋４に手を伸ばすとすぐにフード用把持部５２を掴むことができるようにしておく。フード用把持部５２にはゴム紐３７が設けられているから、他の部分とは感触が異なり、触っただけでフード用把持部５２であることが理解できる。着用者はフード用把持部５２を掴んで引っ張り、外衣本体３全体を収納袋４から出すことができる。フード用把持部５２を掴んで引っ張ったら、それを持ち替えることなくフード３５を着用者の頭に被せることができる。したがって着用状態を整える間であっても、頭は雨に濡れるのを防止することができる。
【００２１】
この実施形態において、背負いかばんとしてランドセル２を用い、ランドセル２に携行用外衣１を取付けることとしているが、リュックサック等の他の背負いかばんに取付けることもできる。その場合には、収納袋４の表面シート４１または裏面シート４２を背負いかばんの形状に合わせて適宜変更することが望ましい。また、収納袋４を別途設けているが、外衣本体３のフード３５が収納袋４を兼ねるようにしてもよい。
把持部５として例えば、フード３５にタブを設けるようにしてもよい。タブを着用者の頭頂部に位置するように２か所設けることによって、動物の耳のように見せることもできる。把持部５は、外衣本体３の種々の位置に、種々の形態で設けることができ、触っただけで把持部５であることが理解できるものであることが好ましい。
【符号の説明】
【００２２】
１  携行用外衣
２  ランドセル（背負いかばん）
３  外衣本体
４  収納袋
５  把持部
６  連結体
３１  左前身頃（前身頃）
３２  右前身頃（前身頃）
３３  後身頃
３４  袖
３５  フード
４３  第１係合部（係合部）
４４  第２係合部（係合部）
５１  袖用把持部（把持部）
５２  フード用把持部（把持部）
【図１】
0003215364.tif 000003
【図２】
0003215364.tif 000004
【図３】
0003215364.tif 000005
【図４】
0003215364.tif 000006
【図５】
0003215364.tif 000007
【図６】
0003215364.tif 000008
【図７】
0003215364.tif 000009